(57)【要約】【課題】カバー前面に形成された切り欠きを介してカバー内に埃や塵が侵入しないテレビレンズ装置を提供する。【解決手段】  先端部外周面からネジ頭が突出したレンズ鏡胴と、このレンズ鏡胴を収容するカバー本体と前記カバー本体に収容されたレンズ鏡胴の先端部が挿入され突出する開口が形成されたカバー前面とを有するカバーと、を備えるテレビレンズ装置において、前記レンズ鏡胴の先端部が前記開口に挿入され突出する際に前記ネジ頭が通過する切り欠きを前記カバー前面に設けるとともに、前記ネジ頭が前記切り欠きを通過した後に前記切り欠きを前記カバー内から閉塞する閉塞片を前記レンズ鏡胴の外周面に設けたことを特徴とするテレビレンズ装置。【選択図】  図３
2008092168.tif 000002
【特許請求の範囲】
【請求項１】
先端部外周面からネジ頭が突出したレンズ鏡胴と、
このレンズ鏡胴を収容するカバー本体と前記カバー本体に収容されたレンズ鏡胴の先端部が挿入され突出する開口が形成されたカバー前面とを有するカバーと、
を備えるテレビレンズ装置において、
前記レンズ鏡胴の先端部が前記開口に挿入され突出する際に前記ネジ頭が通過する切り欠きを前記カバー前面に設けるとともに、前記ネジ頭が前記切り欠きを通過した後に前記切り欠きを前記カバー内から閉塞する閉塞片を前記レンズ鏡胴の外周面に設けたことを特徴とするテレビレンズ装置。
【請求項２】
前記閉塞片の、前記切り欠きに対向する面には弾性部材が設けられていることを特徴とする請求項１に記載のテレビレンズ装置。
【発明の詳細な説明】
【技術分野】
【０００１】
本発明はテレビレンズ装置に係り、特に先端部外周面からネジ頭が突出したレンズ鏡胴を備えたテレビレンズ装置に関する。
【背景技術】
【０００２】
一般に、放送用又は業務用のテレビカメラのカメラ本体に装着されるレンズ装置は、撮影光学系を保持する円筒形状のレンズ鏡胴、このレンズ鏡胴を覆うカバー（例えば角筒形状のカバー）等を備えている（特許文献１参照）。
【０００３】
このカバーは、角筒形状のカバー本体と、レンズ鏡胴の先端部が挿入される開口が形成されたカバー前面と、を備えている。
【０００４】
ここで、レンズ鏡胴本体とこのレンズ鏡胴本体の前側（被写体側）に配置されたレンズ枠とを、両者を連通するネジ穴にネジ止めすることにより、固定して構成されるレンズ鏡胴が知られている。このレンズ鏡胴のネジ穴はレンズ鏡胴本体の光軸に対して傾斜している。この傾斜したネジ穴にネジをネジ止めすることにより、レンズ鏡胴本体とレンズ枠とを強固にネジ止めでき、両者の光軸方向のがたつきを抑えることが可能となっている。その一方で、ネジの頭がレンズ鏡胴の先端部外周面から突出している。
【０００５】
このネジ頭が突出したレンズ鏡胴についても、カバー前面にその突出したネジ頭が通過する切り欠きを設けることで、レンズ鏡胴の先端部をカバー開口に挿入するに際してネジ頭がじゃまにならず、上記と同様にカバーを装着することが可能である。
【特許文献１】特開２００５−２１５５７３号公報
【発明の開示】
【発明が解決しようとする課題】
【０００６】
しかしながら、ネジ頭が突出したレンズ鏡胴では、カバーを装着した状態で切り欠きが開口したままであるので、この切り欠きを介してカバー内に埃や塵が侵入するという問題がある。
【０００７】
本発明はこのような事情に鑑みてなされたもので、カバー前面に形成された切り欠きを介してカバー内に埃や塵が侵入しないテレビレンズ装置を提供することを目的とする。
【課題を解決するための手段】
【０００８】
請求項１に記載の発明は前記目的を達成するために、先端部外周面からネジ頭が突出したレンズ鏡胴と、このレンズ鏡胴を収容するカバー本体と前記カバー本体に収容されたレンズ鏡胴の先端部が挿入され突出する開口が形成されたカバー前面とを有するカバーと、
を備えるテレビレンズ装置において、前記レンズ鏡胴の先端部が前記開口に挿入され突出する際に前記ネジ頭が通過する切り欠きを前記カバー前面に設けるとともに、前記ネジ頭が前記切り欠きを通過した後に前記切り欠きを前記カバー内から閉塞する閉塞片を前記レンズ鏡胴の外周面に設けたことを特徴とする。
【０００９】
請求項１に記載の発明によれば、レンズ鏡胴の先端部がカバー前面に形成された開口に挿入され突出する際に、突出したネジ頭がカバーに形成された切り欠きを通過し、その通過の後に、この切り欠きはカバー内から閉塞片により閉塞される。したがって、この切り欠きを介してカバー内に埃や塵が侵入することがない。しかも、切り欠きを閉塞するために新たなプロセス（例えば、別部材を切り欠きに装着して閉塞するプロセス）を追加しなくてもよい。すなわち、従来と同様のプロセスでカバーを装着するだけで、切り欠きを閉塞することが可能となる。
【００１０】
請求項２に記載の発明は、請求項１の発明において、前記閉塞片の、前記切り欠きに対向する面には弾性部材が設けられていることを特徴とする。
【００１１】
請求項２の発明によれば、閉塞片の、切り欠きに対向する面にはスポンジやゴム等の弾性部材が設けられているので、閉塞片と切り欠きとの間に多少の間隔が存在していたとしても、閉塞片と切り欠きとの間に弾性部材が位置することになるので、切り欠きを確実に閉塞することが可能となる。
【発明の効果】
【００１２】
本発明によれば、カバー前面に形成された切り欠きを介してカバー内に埃や塵が侵入しないテレビレンズ装置を提供することが可能となる。
【発明を実施するための最良の形態】
【００１３】
以下、本発明に係るテレビレンズ装置の好ましい実施の形態について図面を参照しながら説明する。
【００１４】
図１は、本実施形態のテレビレンズ装置の斜視図である。
【００１５】
本実施形態のテレビレンズ装置１０は、主として、前玉レンズ２１等の撮影光学系を保持するレンズ鏡胴２０と、このレンズ鏡胴２０を覆うカバー３０と、このカバー３０の前端（被写体側）に取り付けられるフード４０と、カメラ本体５０を装着するためのマウント（図示せず）等を備えている。
【００１６】
図２に示すように、レンズ鏡胴２０は、レンズ鏡胴本体２２と、このレンズ鏡胴本体２２の先端（被写体側）に配置された、前玉レンズ２１を保持するレンズ枠２３とを備えている。レンズ鏡胴本体２２とレンズ枠２３とは、両者を連通するネジ穴ＨにネジＮをネジ止めすることにより、固定されている。
【００１７】
ネジ穴Ｈはレンズ鏡胴本体２２の光軸に対して傾斜している。この傾斜したネジ穴ＨにネジＮをネジ止めすることにより、レンズ鏡胴本体２２とレンズ枠２３とを強固にネジ止めでき、両者の光軸方向のがたつきを抑えることが可能となっている。その一方で、ネジＮの頭ＮＴがレンズ鏡胴２０の先端部２０ａ外周面から突出している。図２では、一つのネジＮの頭ＮＴが突出している例を示しているが、実際は、レンズ鏡胴２０の周方向に等間隔で四つのネジＮがネジ止めされており、四つのネジＮの頭ＮＴが突出している。
【００１８】
図３に示すように、カバー３０は、角筒形状のカバー本体３１と、カバー前面３２と、を備えている。
【００１９】
カバー前面３２には、レンズ鏡胴２０の先端部２０ａが挿入される開口３２ａ、及び、レンズ鏡胴２０の先端部２０ａ外周面から突出しているネジ頭ＮＴが通過する切り欠き３２ｂが形成されている。本実施形態では、レンズ鏡胴２０の先端部２０ａ外周面から突出しているネジＮの頭ＮＴの数が四つなので、これにあわせて、切り欠き３２ｂも四つ形成している。このように切り欠き３２ｂを設けたので、レンズ鏡胴２０の先端部２０ａをカバー開口３２ａに挿入するに際して、ネジＮの頭ＮＴがじゃまにならず、カバー３０を装着することが可能となっている。
【００２０】
レンズ鏡胴２０の外周面には、切り欠き３２ｂを閉塞するための閉塞片２２ａが設けられている。本実施形態では、切り欠き３２ｂの数が四つなので、これにあわせて、閉塞片２２ａも四つ設けている。
【００２１】
閉塞片２２ａは、レンズ鏡胴２０の光軸と平行でかつネジＮの頭ＮＴを通る線上に配置されており、レンズ鏡胴２０の先端部２０ａをカバー開口３２ａに挿入し所定装着姿勢になると（すなわち、レンズ鏡胴２０にカバー３０を適正装着すると）、図２に示すように、カバー３０内側から切り欠き３２ｂを閉塞する。すなわち、レンズ鏡胴２０の先端部２０ａがカバー前面３２に形成された開口３２ａに挿入され突出する際に、突出したネジ頭ＮＴがカバー前面３２に形成された切り欠き３２ｂを通過し、その通過の後に、この切り欠き３２ｂはカバー３０内から閉塞片２２ａにより閉塞される。
【００２２】
したがって、切り欠き３２ｂを介してカバー３０内に埃や塵が侵入することがない。しかも、切り欠き３２ｂを閉塞するために新たなプロセス（例えば、別部材を切り欠き３２ｂに装着して閉塞するプロセス）を追加しなくてもよい。すなわち、従来と同様のプロセスでカバー３０を装着するだけで、切り欠き３２ｂを閉塞することが可能となる。
【００２３】
なお、図３に示すように、閉塞片２２ａの、切り欠き３２ｂに対向する面２２ａ１にスポンジやゴム等の弾性部材を設けてもよい。このようにすれば、閉塞片２２ａと切り欠き３２ｂとの間に多少の間隔が存在していたとしても、閉塞片２２ａと切り欠き３２ｂとの間に弾性部材が位置することになるので、切り欠き３２ｂを確実に閉塞することが可能となる。
【００２４】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００２５】
【図１】本発明の一実施形態であるテレビレンズ装置の斜視図である。
【図２】レンズ鏡胴２０の構成を説明するための断面図である。
【図３】カバー３０とレンズ鏡胴２０の関係を説明するための図である。
【符号の説明】
【００２６】
１０…テレビレンズ装置、２０…レンズ鏡胴、２０ａ…先端部、２１…前玉レンズ、２２…レンズ鏡胴本体、２２ａ…閉塞片、２３…レンズ枠、３０…カバー、３１…カバー本体、３２…カバー前面、３２ａ…カバー開口、４０…フード、５０…カメラ本体、Ｈ…ネジ穴、Ｎ…ネジ、ＮＴ      …ネジ頭
【図１】
2008092168.tif 000003
【図２】
2008092168.tif 000004
【図３】
2008092168.tif 000005